(57)【特許請求の範囲】
【請求項１】
本発明のトイレットペーパーホルダーは、片手で操作することができるロールペーパー用の支持軸を使用しないトイレットペーパーホルダーであって、
上下に解放した略長方形状の枠体と、該枠体の内側前方に配置した前方ペーパー保持部と、該枠体の内側後方に配置した後方ペーパー保持部と、前記後方ペーパー保持部の下方に配置した回転自在なペーパー挟持振り子から構成され、  
前記枠体は、下端にペーパーカッターを設けた前板と、背板とを、下部に切欠き部を設けた左右同形の側板で挟んだ上下に解放した略長方形状の枠体であって、前記切欠き部形状は後述の後方ペーパー保持台回動軸摘みの回動軌道と同じ略円弧をなし、前記切欠き部一端の左右側板内壁の近傍に各々側板磁石が埋め込まれており、
前記前方ペーパー保持部は、先端が円弧形状の前方ペーパー保持台と、その上にロールペーパーを保持・回転・切断するのに必要とする適度な抵抗を有する前方ペーパー保持材とを設け、前記枠体内の前方から中央下向に前記側板で挟んで固定されおり、  
前記後方ペーパー保持部は、左右両端に磁石を備えた後方ペーパー挟持部と、前記後方ペーパー保持台回動軸摘みと、上面にペーパーを保持・回転・切断するのに必要とする適度な抵抗を有する後方ペーパー保持材を設けた後方ペーパー保持台と、後方ペーパー保持台支持軸から構成され、これら部材を一直線上に配置してなり、前記後方ペーパー保持台支持軸の両端が前記枠体の前記左右側板の略三分の二の高さの位置に回転自在に取り付けられており、
前記ペーパー挟持振り子は、振り子ペーパー挟持部と、振り子支持軸と、重りと、これらを保持する振り子板から構成され、前記ロールペーパーを切断する際に前記振り子ペーパー挟持部の上部先端が前記後方ペーパー挟持部に接するように、前記振り子支持軸の両端が前記枠体の前記左右の側板に回転自在に取り付けられている、ことを特徴とするトイレットペーパーホルダー。
【発明の詳細な説明】
【技術分野】
【０００１】
本発明は、ロールペーパーの収納から、引き出し、切断までを片手で行うことができるトイレットペーパーホルダーに関するものである。
【背景技術】
【０００２】
従来、この種のロールペーパーホルダーとしては、芯管有リと芯管無しの両タイプのロールペーパーが使用可能で、片手で容易に切断できるものが特許文献１に開示されている。
【先行技術文献】
【特許文献】
【０００３】
【特許文献１】特開２０１６−１２９５９７号公報
【特許文献２】特許６２２１０２５号公報
【発明の概要】
【発明が解決しようとする課題】
【０００４】
しかしながら、特許文献１のトイレットペーパーホルダーは、ペーパーホルダーの支持軸をペーパーホルダーの芯管に両手を使って通す必要があり、片手が使えない障害者や高齢者にとって難儀を強いられていた。また、次の使用者は前の使用者が触れた個所に触れることになり、衛生的にも問題があった。
【０００５】
本発明は、上記の従来の問題点に鑑みてなされたものであって、ロールペーパーの収納から、引き出し、切断までを片手で行うことができる障害者や高齢者に優しい、衛生的なトイレットペーパーホルダーを提供するものである。
【課題を解決するための手段】
【０００６】
、
上記課題を解決するために、本発明のトイレットペーパーホルダー（１）は、枠体（２）と、該枠体（２）の内側前方に配置した前方ペーパー保持部（３）と、該枠体（２）の内側後方に配置した後方ペーパー保持部（４）と、前方ペーパー保持部（３）の下方に配置した回転自在なペーパー挟持振り子（５）から構成される。
【０００７】
上記枠体（２）は、下端にペーパーカッター（６）を設けた前板（２−１）と背板（２−２）とを、切欠き部（２−４）を設けた二枚の側板（２−３）で挟んだ上下解放の略直方形枠体であって、切欠き部（２−４）の形状は後述の後方ペーパー保持台回動軸摘み（４−４）の回動軌道と同じ略円弧をなし、切欠き部（２−４）の前端の左右内壁面近傍に各々磁石（２−３a）が埋め込まれている。                    
【０００８】
上記前方ペーパー保持部（３）は、先端が円弧形状の前方のペーパー保持台（３−１）と、その上面に配置したロールペーパー（７）を保持・回転・切断するのに必要とする適度な抵抗を有するペーパー保持材（３−２）とから構成されており、枠体（２）内の前方から中央下向に側板（２−３）で挟んで固定されている。
【０００９】
上記後方ペーパー保持部（４）は、左右両先端に磁石（４−２a）を備えたペーパー挟持部（４−２）と、後方ペーパー保持台回動軸摘み（４−４）と、上面にペーパーを保持・回転・切断するのに必要とする適度な抵抗を有する後方ペーパー保持材（４−５）を設けた後方ペーパー保持台（４−１）と、後方ペーパー保持台支持軸（４−３）から構成され、これら部材は一直線上に配置してなり、後方ペーパー台支持軸（４−３）の両端が枠体（２）の左右側板（２−３）に回転自在に軸支されている。
【００１０】
上記のペーパー挟持振り子（５）は、上部が円弧形状で下部に重し（５−３）を有する直方体の振り子板（５−４）と振り子支持軸（５−２）から構成され、ロールペーパーを切断する際に上部が後方ペーパー挟持部（４−２）に接するように、振り子支持軸（５−２）の両端が枠体（２）の左右側板（２−３）に回転自在に軸支されている。
【発明の効果】
【００１１】
本発明により、トイレットペーパーホルダーにロールペーパーの支持軸を必要とせずに片手でロールペーパーの取付けと切断が容易にできるようになる。  
【００１２】
このため、切断後に一定の長さのペーパーが残存し、使用の度にペーパー先端を探る必要が無く、また使い切るまで、ペーパーホルダーに触れることや他人が触れたペーパーを使用することも無く、大腸菌による感染予防につながるなど極めて衛生的である。
【図面の簡単な説明】
【００１３】
【図１】本発明のトイレットペーパーホルダー（１）の斜視図
【図２】後方ペーパー保持台回転軸摘みを後方に下げた状態の側面透視図
【図３】後方ペーパー保持台回転軸摘みを後方に下げた状態の平面図
【図４】後方ペーパー保持台回転軸摘みを前方に上げた状態の側面透視図
【図５】後方ペーパー保持台回転軸摘みを前方に上げた状態の平面図
【図６】ペーパー挟持振り子の斜視図
【図７】ロールペーパー収納時の側面透視図
【図８】ロールペーパー収納後、後方ペーパー保持台回転軸摘みを前方に上げた状態の側板透視図
【図９】ロールペーパー切断時の側面透視図
【図１０】ロールペーパー切断後のペーパー残存状態を示す側面透視図
【発明を実施するための形態】
【００１４】
本発明の実施形態を、図１〜図６に基づき、説明する。図１は本発明のトイレットペーパーホルダー（１）の外観を示す斜視図であり、図２と図３は新しいロールペーパー（７）を前記トイレットペーパーホルダー（１）収納する前の後方ペーパー保持台回転軸摘み（４−４）を後方に下げた状態における側面透視図と平面図であり、また、図４と図５は同様に新しいロールペーパー（７）を前記トイレットペーパーホルダー（１）に収納する前の後方ペーパー保持台回転軸摘み（４−４）を前方に上げた状態の側面透視図と平面図であり、さらに、図６はロールペーパー（７）を切断する際に使用するペーパー挟持振り子（５）の斜視図である。
【００１５】
本発明のトイレットペーパーホルダー（１）は、既存の特許文献２に示す振り子板挟持部を用いた切断方法と同様、ロールペーパー(７）を前記後方ペーパー挟持部（４−２）と前記振り子板ペーパー挟持部(５−１)に挟持させ、枠体（２）の前板（２−１）のペーパーカッター（６）で切断することになるが、その挟持部は使用者の引く力に見合った一定の接触抵抗を保持する必要がある。
【００１６】
しかしながら、本発明のトイレットペーパー（１）は、従来のようにー支持軸を使用しないため、ロールペーパー（７）の自重は前方ペーパー保持部（４）と後方ペーパー保持部（５）に直接かかることになる。ここで、前方ペーパー保持部（４）及び後方ペーパー保持部（７）の表面全体を均質材料で形成した場合、ロールペーパー（７）の使用に伴い、ロールペーパー（７）の直径と重量が連続的に減少し、前方ペーパー保持部（４）と後方ペーパー保持部（５）に直接かかる負荷も連続的に小さくなる。このため、使用者の引く力に見合った一定の接触抵抗を保持することが困難となり、ロールペーパー（７）の回転不良やロールペーパー（７）を上手に切断できない等の不具合が生じることになる。
【００１７】
本発明は、上記課題を解決するものであり、トイレットペーパーホルダー（１）は、図１に示すように、上下が解放した略直方形の枠体（２）であり、その枠体（２）の内側前方に前方ペーパー保持部（３）、内側後方に後方ペーパー保持部（４）および前方保持部（３）の下方に回転自在なペーパー挟持振り子（５）が配置されている。
【００１８】
前記枠体は（２）は、下端にペーパーカッター（６）を設けた前板（２−１）と、背板（２−２）と、切欠き部（２−４）を設けた二枚の側板（２−３）とから構成され、図２、図４に示すように、前記切欠き部（２−４）の形状は後述の後方ペーパー保持台回動軸摘み（４−４）の回動軌道と同じ略円弧をなし、さらに、切欠き部（２−４）の上端の左右内壁面近傍に、図３に示すように、各々磁石（２−３a）が埋め込まれている。
【００１９】
前記前方ペーパー保持部（３）は、前方ペーパー保持台（３−１）とその上面の前方ペーパー保持材（３−２）とから構成され、前記前方ペーパー保持台（３−１）の先端は円弧形状をなし、前記前方ペーパー保持材（３−２）は、均質の材料を用いた場合、図３の斜線で示すように、ロールペーパー（７）との接触面積が前方から中央に向かって比例的に増加するように、左右両端から逆直角三角形状の二山を形成する。なお、前記前方ペーパー保持材（３−２）は、均質材料を用いた場合、上記のようにかならずしも逆直角三角形の二山形状である必要はなく、前方から中央に向かって接触面積が比例的に増加するような形状であれば良い。また、表面全体を前方から下方に向かって抵抗が順次増加する不均質材料で形成しても良い。  
【００２０】
前記後方ペーパー保持部（４）は、図４、図５に示すように、後方ペーパー保持台（４−１）とその上面の後方ペーパー保持材（４−５）と、左右両先端に磁石（４−２a）を備えた後方ペーパー挟持部（４−２）と、後方ペーパー保持台回転軸摘み（４−４）とから構成され、これら部材は一直線上に配置されており、後方ペーパー保持台支持軸（４−３）を用いて枠体（２）の左右側板（２−３）に回動自在に軸支され、切欠き部（２−４）に沿って回動して、前記ペーパー挟持部（４−２）の左右の磁石（４−２a）と左右側板の磁石（２−３a）の相互誘引で固定される。なお、後方ペーパー保持台（４−１）の固定に磁石を用いたが、他の固定方法でも構わない。
【００２１】
前記後方ペーパー保持台（４−１）の先端は円弧形状をなし、その上面の後方ペーパー保持材（４−５）は、前方ペーパー保持材（３−２）と同様に、均質材料を用いた場合、ロールペーパー（７）との接触面積が前方から中央に向かって比例的に増加するように、左右両端から逆直角三角形状の二山を形成する。また、前記前方ペーパー保持材（４−５）は、均質材料を用いた場合、上記のようなかならずしも逆直角三角形の二山形状である必要はなく、前方から中央に向かって接触面積が比例的に増加するような形状であれば良く、さらに表面全体を前方から下方に向かって抵抗が順次増加する不均質材料で形成しても良い。
【００２２】
前記ペーパー挟持振り子（５）は、振り子ペーパー挟持部（５−１）と、振り子支持軸（５−２）と、重り（５−３）、及びこれらを保持する振り子板（５−４）から構成され、ロールペーパー（７）を切断する際に振り子ペーパー挟持部（５−１）の先端が後方ペーパー挟持部（４−２）に接するように、振り子支持軸（５−２）の両端が枠体（２）の左右の側板（２−３）に回転自在に軸支されている。
【００２３】
以下、使用時における本発明のトイレットペーパーホルダーの動作について、図７〜図１０を用いて説明する。
【００２４】
図７は、ロールペーパー（７）を本発明のトイレットペーパーホルダー（１）に収納する際、後方ペーパー保持部を後方に下げた状態の側面透視図であり、ロールペーパー（７）は、支持軸を使用せず、枠体（２）内の前方ペーパー保持部（３）と後方ペーパー保持台支持軸（４−３）に跨いで直に載せており、ペーパー先端落とし口（８）から適宜の長さに垂らしている。
【００２５】
図８は、図７の状態から後方ペーパー保持台回動軸摘み（４−４）を枠体（２）の切欠き部（２−４）に沿って前方に上げた状態の側面透視図であり、磁石（２−３a）と磁石（４−２a）によってトイレットペーパーホルダー（１）に固定されている。この状態が使用開始の状態となる。以上の操作は、従来の様にペーパー支持軸を使用しないため、片手で容易に収納することができる。
【００２６】
図９は、ロールペーパー（７）の切断時の使用状態を示す側面透視図である。図９に示すように、ペーパー引き出し口（９）に垂らしたペーパーを前方に引き出すと、前記ペーパー挟持振り子板（５）の振り子板ペーパー挟持部（５−１）と前記後方ペーパー保持部（４）のペーパー挟持部（４−２）がペーパーを使用者の引く力に見合った一定の負荷で挟持するため、前板（２−１）下端に設けたペーパーカッター（６）で確実かつ容易に片手で切断することができる。
【００２７】
図１０は、ロールペーパー切断後のペーパー残存状態を示す側面透視図であり、
ペーパー挟持振り子板（５）の下辺が切断後のペーパーに密接したままペーパー引き出し口（１１）の立ち位置に戻る時に、ペーパーカッター（６）からペーパーが引き離されて一定の長さのペーパーがペーパー引き出し口（１１）の枠体（２）下端の下に垂れる過程を示している。
【符号の説明】
【００２８】
１        トイレットペーパーホルダー本体    
２        枠体
２−１    前板
２−２    背板
２−３    側板
２−３a   磁石
２−４    切欠き部
３        前方ペーパー保持部
３−１    前方ペーパー保持台        
３−２    前方ペーパー保持材
４       後方ペーパー保持部
４−１    後方ペーパー保持台                    
４−２    ペーパー挟持部
４−２a   磁石  
４−３    後方ペーパー保持台支持軸
４−４    後方ペーパー保持台回動軸摘み
４−５    後方ペーパー保持材
５        ペーパー挟持振り子板
５−１    振り子板ペーパー挟持部
５−２    振り子支持軸
５−３    重り 
５−４    振り子板
６        ペーパーカッター
７        ロールペーパー
８        ペーパー先端落とし口
９        ペーパー引き出し口  
【要約】
【課題】従来のロールペーパーホルダーは、芯管の無いロールペーパーを使用する時は、別に支持軸を必要とし、また、両手が使えない場合のペーパーの切断に苦労していた、尚、先の使用者が使用中に触れた個所に、使用する度に触れる非衛生な点があった。
【解決手段】ロールペーパーを、支持軸を使わずにホルダー内のペーパー保持台上に載置し、ロールペーパーが引き出される際の摩擦抵抗力を用いて振り子板を回転させ、該ホルダー内の前後のペーパー挟持部間でペーパーを挟持固定して、ペーパーカッターで切断すると同時に次に引き出し易いように一定の長さを残存させて、ロールペーパーを使い切るまで、前の使用者が触れた箇所に一切触れることが無い衛生的な構成を特徴とした片手用トイレットペーパーホルダー。
【選択図】  図１【図１】
0006713084.tif 000002
【図２】
0006713084.tif 000003
【図３】
0006713084.tif 000004
【図４】
0006713084.tif 000005
【図５】
0006713084.tif 000006
【図６】
0006713084.tif 000007
【図７】
0006713084.tif 000008
【図８】
0006713084.tif 000009
【図９】
0006713084.tif 000010
【図１０】
0006713084.tif 000011